(57)【要約】【課題】自動取引装置における取引口座選択の利便性向上。【解決手段】ＩＣカードに記憶された口座情報は、各々、銀行口座を順序付けて記憶する。自動取引装置は、まず各口座情報を読み取る（ステップＳｂ１）とともに、その装置の設置銀行として記憶された名前Ａを読み出す（ステップＳｂ２）。次にステップＳｂ３では、ＩＣカードに記憶された順序から口座の並び替えを行い、設置銀行たる銀行Ａの口座を先頭に移動させる。ステップＳｂ４で自動取引装置は、並び替え後の順序に応じて、画面２００のボタン２０１，２０２を提示する。順序が先頭の銀行Ａは、他のボタン２０２より大きな、異なる色彩を利用したボタン２０１で提示する。かかる提示によりユーザは、所望の口座を容易に選択することができる。【選択図】  図３
2004246536.tif 000002
【特許請求の範囲】
【請求項１】
ユーザの操作に基づき所定の取引を行う自動取引装置であって、
取引を行う口座を特定する口座情報を複数記録した前記ユーザ所有の記録媒体から、該口座情報を入力する媒体読込部と、
該口座情報により特定される複数の口座の優先度を決定する決定部と、
取引を行うべき口座をユーザに選択させるために、該複数の口座を前記優先度に応じて提示する提示部とを備える自動取引装置。
【請求項２】
請求項１記載の自動取引装置であって、
前記提示部は、前記優先度に応じて、前記複数の口座を表示する大きさ、位置、色の少なくとも１つを変えて、前記複数の口座を表示する自動取引装置。
【請求項３】
請求項１記載の自動取引装置であって、
前記口座の優先度は、該口座に係る取引の手数料に応じた優先度である自動取引装置。
【請求項４】
コンピュータが、ユーザの操作に基づき所定の取引を行う自動取引方法であって、
取引を行う口座を特定する口座情報を複数記録した前記ユーザ所有の記録媒体から、該口座情報を入力する工程と、
該口座情報により特定される複数の口座の優先度を決定する工程と、
取引を行うべき口座をユーザに選択させるために、該複数の口座を前記優先度に応じて提示する工程とを備える自動取引方法。
【請求項５】
コンピュータに、ユーザの操作に基づき所定の取引を行わせるためのコンピュータプログラムであって、
取引を行う口座を特定する口座情報を複数記録した前記ユーザ所有の記録媒体から、該口座情報を入力する機能と、
該口座情報により特定される複数の口座の優先度を決定する機能と、
取引を行うべき口座をユーザに選択させるために、該複数の口座を前記優先度に応じて提示する機能とを前記コンピュータに実現させるためのコンピュータプログラム。
【発明の詳細な説明】
【０００１】
【発明の属する技術分野】
本発明は、複数の取引口座が記録された記録媒体を用いて取引を行う自動取引装置に関する。
【０００２】
【従来の技術】
従来より、ＡＴＭ（Ａｕｔｏｍａｔｉｃ  Ｔｅｌｌｅｒ  Ｍａｃｈｉｎｅ）等の自動取引装置が利用されている。ＡＴＭを利用するユーザは、銀行が発行するキャッシュカードを装置に挿入する。ＡＴＭは、挿入されたカードが特定する口座について、ユーザの操作に基づいて所定のサーバと通信することで取引を実現する。このとき、そのＡＴＭが設置されている銀行以外の他行のカードが挿入された場合にも、ＡＴＭは、その銀行のサーバと通信することで取引を実現することができる。
【０００３】
近年は、ＩＣチップを搭載したカード、すなわちＩＣカードの利用が広まっている。ＩＣカードは、同一又は異なる銀行の複数の口座情報をＩＣチップに記憶できる。ＩＣカードを挿入されたＡＴＭは、カードに記憶された複数の口座を表示して、取引を所望する口座をユーザに選択させる。カードに係る口座の提示インタフェースとしては、例えば、ＩＣカードに記憶された順序に従って、口座に対応する複数のボタンを表示させていた。
【０００４】
【特許文献１】
特開２０００−１１３１２０
【０００５】
【発明が解決しようとする課題】
しかし、従来のインタフェースでは、多数の口座から所望の口座を探し出して選択するのに時間がかかるという問題があった。したがって、より選択しやすいインタフェースが望まれていた。
【０００６】
かかる課題は上述の場合に限らず、口座を特定する口座情報を複数記憶する記録媒体を利用する自動取引装置に共通する課題であった。
【０００７】
本発明は、上述の課題を解決するためになされたものであり、記録媒体に係る複数の取引口座の一を選択する場合の利便性の向上を目的とする。
【０００８】
【課題を解決するための手段】
上記課題の少なくとも一部を解決するために、本発明では、次の構成を適用した。
本発明の自動取引装置は、
ユーザの操作に基づき所定の取引を行う自動取引装置であって、
取引を行う口座を特定する口座情報を複数記録した前記ユーザ所有の記録媒体から、該口座情報を入力する媒体読込部と、
該口座情報により特定される複数の口座の優先度を決定する決定部と、
取引を行うべき口座をユーザに選択させるために、該複数の口座を前記優先度に応じて提示する提示部とを備えることを要旨とする。
【０００９】
このようにすることで、ユーザは、記録媒体に記憶された各口座の中から、所望の口座を容易に選択することができる。
【００１０】
ここに、自動取引装置は、ＡＴＭや、自動販売機、住民票発行機その他の公的サービスに係る取引装置、チケット・クーポン等の発行機など、種々のものを適用することができる。
【００１１】
なお、口座は、取引の管理単位を特定する口座であれば種々のものを適用することができる。例えば、銀行における種々の預金口座や、証券会社における口座、スポーツクラブ等における会員Ｎｏで特定される口座や、スーパーや百貨店における顧客Ｎｏで特定される口座、住民票基本台帳等の公的サービスにおける、住民票コード等の個人識別情報で特定される口座などを適用することができる。
【００１２】
また、記録媒体は、磁気カードや、ＩＣカード、メモリーカード、ＲＯＭカートリッジ、各種のＣＤ（Ｃｏｍｐａｃｔ  Ｄｉｓｋ）等、複数の口座情報を記録するものであれば種々のものを適用することができる。
【００１３】
ここに前述の提示部が利用するユーザインタフェースには、いわゆるタッチパネルによるものや、スイッチ・電気ランプ・発光ダイオード等を組み合わせたもの、音声合成・音声認識によるもの、プッシュホンによる情報授受によるもの等を含む。なお、各口座の提示態様相互の関係は、各口座相互の優先度の関係に応じたものであることが望ましい。
【００１４】
提示部が行う口座の提示には種々の態様が考えられるが、
本発明の自動取引装置において、
前記提示部は、前記優先度に応じて、前記複数の口座を表示する大きさ、位置、色の少なくとも１つを変えて、前記複数の口座を表示するものとしてもよい。
【００１５】
このようにすることで、優先度に応じて口座の表示を変更することができる。例えば、ＡＴＭにおける提示部は、そのＡＴＭが設置されている設置銀行に係る口座の表示を、他の銀行の表示より大きくしたり、他の銀行の表示より目立つ位置に設けたり、他の銀行の表示より目立つ色彩にしたりするものとしてもよい。なお、口座の表示に対応付けて、その口座の優先度に関する情報が示されるものとしてもよい。
【００１６】
提示は、段階的なものとしてもよい。例えば、口座に係る機関がまず選択され、次に、選択された機関の口座が選択されるものとしてもよい。このとき、口座に係る機関の選択は、さらに他段階にわたるものとしてもよい。
【００１７】
前述の決定部は、口座の優先度を決めるための規則を予め記憶した規則設定部を参照するものとしてもよい。例えば、ＲＯＭなどの不揮発性メモリや、ディップスイッチ等を規則設定部として利用することができる。また、決定部は、ネットワークを介して規則を取得する情報取得部を備えるものとしてもよい。さらに、決定部は、前述の設定部及び情報取得部の両者を備えるものとしてもよい。なお、口座の優先度を決めるための規則として、優先度そのものを列挙等したデータを記憶・取得等するものとしてもよい。
【００１８】
また、記録媒体に記憶される口座情報の少なくとも一部は順序付けられて記憶されており、決定部は、その順序も参照して、優先度を決定するものとしてもよい。
【００１９】
決定部が決定する優先度には種々のものが考えられるが、
本発明の自動取引装置において、
前記口座の優先度は、該口座に係る取引の手数料に応じた優先度であるものとしてもよい。
【００２０】
このようにすることで、ユーザは、口座に係る手数料に応じて、所望の口座を容易に選択することができる。
【００２１】
例えば、ＡＴＭにおいて、そのＡＴＭの設置者たる設置銀行の口座の取引は、それ以外の銀行の口座の取引よりも手数料が低いことがある。決定部は、ＡＴＭの設置銀行に係る口座を、それ以外の銀行の口座よりも優先度が高いものと決定してもよい。また、このとき、前述の設定部が設置銀行を記憶するものとしてもよい。
【００２２】
同様に、優先度は、各口座情報が特定する取引の相手方や、取引の種類に応じたものであってもよい。また、優先度ないし優先度を決定する規則は、自動取引装置の設置場所や、自動取引装置の設置者の所望に応じたものであってもよい。
【００２３】
優先度は、各口座を一列に順序付けるものである必要はなく、例えば優先度が同一の複数の口座が存在してもよい。また、優先度が不定等とされる口座があってもよい。優先度は、少なくとも一部の口座について「最優先」又は「最低優先」という設定がされているものとしてもよい。
【００２４】
本発明は、自動取引装置としての態様の他、自動取引方法や自動取引装置の制御方法など種々の態様で構成することが可能である。また、これらの方法をコンピュータによって実現するコンピュータプログラム自身またはこれと同視し得る信号として構成してもよい。更に、これらのコンピュータプログラムを記録した記録媒体として構成してもよい。
【００２５】
ここで記憶媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【００２６】
【発明の実施の形態】
以下、本発明の実施の形態について、実施例に基づき以下の順序で説明する。
Ａ．全体構成：
Ｂ．処理：
Ｃ．変形例：
【００２７】
Ａ．全体構成：
図１は、統合システム１０００を示す説明図である。統合システム１０００は、Ａ銀行の銀行システム１０ａと、Ｂ銀行の銀行システム１０ｂと、Ｃ銀行の銀行システム１０ｃとをネットワークＬＮＥＴで接続して構成される。Ａ，Ｂ，Ｃ銀行の銀行システム１０ａ，１０ｂ，１０ｃは、各々、銀行システムを管理するサーバ１１ａ，１１ｂ，１１ｃを有する。なお、以下では主としてＡ銀行のシステム１０ａを取り上げて説明を行うが、Ｂ，Ｃ銀行のシステム１０ｂ，１０ｃ等についても同様である。また、Ａ，Ｂ，Ｃ銀行のシステム１０ａ，１０ｂ，１０ｃは例示であり、統合システム１０００はさらに多数の銀行のシステムをネットワークＬＮＥＴで接続して構成される。
【００２８】
図１では、Ａ銀行の銀行システム１０ａについてその詳細を示した。Ａ銀行のサーバ１１ａは、Ａ銀行のネットワークＮＥＴを介して自動取引装置１００，１００ａ，１００ｂ等と接続する。Ａ銀行の顧客の口座は、Ａ銀行のサーバ１１ａによって管理されている。ユーザは、自動取引装置１００，１００ａ，１００ｂ等を操作することで、Ａ銀行の口座についての預金や振替等の取引を行うことができる。自動取引装置１００，１００ａ，１００ｂ等は、口座を管理するサーバ１１ａと通信することで、ユーザが所望する取引を実現する。
【００２９】
ユーザは、自動取引装置１００，１００ａ，１００ｂ等を操作することで、Ｂ，Ｃ銀行等の口座についての預金や振替等の取引を行うことができる。自動取引装置１００等はサーバ１１ａと通信することで依頼を行う。依頼を受けたＡ銀行のサーバ１１ａがＢ，Ｃ銀行のサーバ１１ｂ，１１ｃ等と通信することで、ユーザが所望するＢ，Ｃ銀行等の口座の取引が実現される。
【００３０】
図１では、自動取引装置１００が有するハードウェア資源の構成を併せて示した。図１では自動取引装置１００を例にとって説明を行ったが、他の自動取引装置１００ａ，１００ｂ等についても同様である。自動取引装置１００は、通信機構１１１と、制御機構１１２と、現金取扱機構１１３と、ＩＣカード機構１１４と、タッチパネル１１５とを有する。
【００３１】
通信機構１１１は、ネットワークＮＥＴを介したサーバ１１ａとの通信を実現する。
【００３２】
現金取扱機構１１３は、ユーザとやりとりする紙幣や硬貨を取り扱う。現金取扱機構１１３は、現金口１１３ｉを介してユーザと紙幣等のやりとりを行うことができる。また、現金取扱機構１１３は、ユーザから受け取った紙幣の枚数を数えたり、所定枚数の紙幣をユーザに渡したりすることができる。
【００３３】
ＩＣカード機構１１４は、ユーザがカード挿入口１１４ｉに挿入するＩＣカードを取り扱うことができる。ＩＣカードには、取引対象の口座を特定する口座情報が複数記憶されている。ここに、特定される口座はＡ銀行の口座に限らない。ＩＣカードには、Ａ銀行の口座情報と併せて、Ｂ銀行やＣ銀行等の口座情報も記憶可能である。また、Ａ銀行の口座情報は１つも備えられず、Ｂ銀行やＣ銀行等の口座情報のみが備えられる場合もある。なお、ＩＣカード内の複数の口座情報は順序付けて記憶されている。ここに、ＩＣカードにおける口座情報の記憶は、全国銀行協会が特定する所定のフォーマットを利用することが望ましい。
【００３４】
タッチパネル１１５は、ユーザインタフェースを提供する。タッチパネル１１５は、ユーザに対する所定の表示を行うとともに、その表示に付されたボタンのクリック等によるユーザ入力を入力する。
【００３５】
制御機構１１２は、ＣＰＵ，ＲＯＭ，ＲＡＭ等を備えるコンピュータである。制御機構１１２のＲＯＭには制御プログラムが備えられている。制御機構１１２は、制御プログラムを実行して通信機構１１１等の他のハードウェア資源を制御することで、ユーザとの自動取引を実現する。なお、実施例における、通信機構１１１等のハードウェア資源の少なくとも一部はソフトウェア的な機能で代用することも可能である。
【００３６】
図１には、制御プログラムを実行することで制御機構１１２が実現する機能ブロックも併せて示した。なお、図示する機能ブロックはソフトウェア的に実現されるものであるが、かかる場合に限定されることはない。図示する機能ブロックの全部又は一部はハードウェア的に構成するものとしてもよい。
【００３７】
内部通信部１２１は、自動取引装置１００の設置銀行たるＡ銀行の口座の取引に係る通信をサーバ１１ａと行う。また、外部通信部１２２は、Ａ銀行以外のＢ，Ｃ銀行等の口座の取引に係る通信を、サーバ１１ａに依頼することで、Ｂ，Ｃ銀行のサーバ１１ｂ，１１ｃ等に処理を行わせることができる。
【００３８】
現金取扱部１２４は、現金取扱機構１１３の動作を制御することで、ユーザとの現金のやりとりを実現する。
【００３９】
カード部１２５は、ＩＣカード機構１１４の動作を制御することで、ＩＣカードに記憶された複数の口座情報を読み出す。
【００４０】
表示部１２６は、表示記憶部１２７を参照することで、タッチパネル１１５を利用したユーザインタフェースを実現する機能を有する。表示記憶部１２７は、ユーザインタフェースを提供するために必要なフォントや画像等を記憶している。
【００４１】
設定部１２９は、自動取引装置１００の設置銀行を記憶する。実施例の場合、設置銀行がＡ銀行であることを記憶している。設定部１２９は、種々のＲＯＭやＲＡＭにより構成してもよいし、ディップスイッチ等により構成してもよい。表示部１２６は、設定部１２９の設定内容を参酌することで、その内容に応じたユーザインタフェースを提供する。
【００４２】
取引部１２３は、内部通信部１２１や外部通信部１２２、現金取扱部１２４、カード部１２５、表示部１２６等を統合制御して自動取引を実現する。例えば、預金の預け入れや振込・振替等の取引を実現する。
【００４３】
Ｂ．処理：
図２は、取引処理のフローチャートを示す説明図である。
ステップＳａ１で自動取引装置１００は、カード挿入口１１４ｉからユーザのＩＣカードを引き込み、カードに記憶された複数の口座情報を読み込む。
【００４４】
ステップＳａ２で自動取引装置１００は、口座情報が特定する複数の銀行口座ごとのボタンをタッチパネル１１５に表示する。ユーザは、表示されたボタンの１つをクリックすることで銀行口座の選択を行うことができる。ユーザの選択結果は、ステップＳａ３で入力される。
【００４５】
ステップＳａ４で自動取引装置１００は、選択された銀行口座に係る取引を行う。例えば、ユーザの操作に応じて、預金の預け入れや振込・振替等の取引を行う。ステップＳａ４における取引処理で自動取引装置１００は、必要に応じて現金のやりとりを行う。また、ステップＳａ４における取引処理では、Ａ銀行の口座が選択された場合には内部通信部１２１による通信が、Ａ銀行以外の銀行の口座が選択された場合には外部通信部１２２による通信が各々利用される。外部通信部１２２が利用される場合、Ｂ，Ｃ銀行のサーバ１１ｂ，１１ｃ等のうちで、ユーザの選択に係る銀行のサーバとの通信が利用される。なお、Ａ銀行以外の銀行の口座が選択された場合の取引処理では、所定の割増手数料のユーザから自動取引装置への引き渡しが行われる。
【００４６】
図３は、カードに係る銀行口座の提示処理を示す説明図である。これは、図２のステップＳａ２における処理を示したものである。
【００４７】
ステップＳｂ１で自動取引装置１００は、ＩＣカードに記憶された各口座情報を読み取る。図３では、Ｄ，Ｃ，Ａ，Ｂ，Ｅの各銀行の口座情報がこの順序でＩＣカードに記憶されている場合について示している。自動取引装置１００は、口座情報に係る銀行の銀行名及び口座Ｎｏと、その順序とをステップＳｂ１で読み出す。例えば、順序が先頭の口座情報として、Ｄ銀行の口座Ｎｏ８８５６７３２の口座情報を読み出す。なお、図３では説明の便宜上から口座情報を、ＩＣカードに記憶された順序を表す「番号」と共に示している。
【００４８】
ステップＳｂ２で自動取引装置１００は、設定部１２９に設定された設置銀行の名前を読み出す。図３では、設置銀行の名前としてＡが設定されている場合について示している。
【００４９】
ステップＳｂ３で自動取引装置１００は、ＩＣカードに記憶された順序を並び替える処理を行う。具体的には、ＩＣカードに係る各銀行に設置銀行が含まれる場合にはその銀行を先頭に移動させる。設置銀行が含まれない場合には何も行わない。図３の場合では、設置銀行Ａを含むため、Ａ銀行を先頭に移動させる処理を行う。並び替え後の順序はＡ，Ｄ，Ｃ，Ｂ，Ｅの順序となる。
【００５０】
なお、並び替え後の順序は単に今回利用するだけでもよいし、ＩＣカードの口座情報の順序がその順序に書き換えられるものとしてもよい。
【００５１】
ステップＳｂ４で自動取引装置１００は、ステップＳｂ３で並び替えた順序に基づいて銀行口座を表示する。図３の画面２００では、かかる表示が行われる場合の一例を示している。画面２００では、設置銀行たるＡ銀行のボタン２０１は最上段に表示される。Ａ銀行のボタン２０１の大きさは、その他の銀行のボタン２０２の二個分に相当するものとなっている。最上段のボタン２０１には、図３でハッチングにより図示するように、他のボタン２０２と異なる色彩が利用されている。なお、図３におけるＡ銀行のボタン２０１では、図３のステップＳｂ３の並び替え処理に基づいて、表示の位置・大きさ・色の全てが変更された場合について示したが、係る場合に限定されることはない。例えば、並び替え処理に基づいて、表示の位置・大きさ・色の１つ又は２つが変更されるのみであるものとしてもよい。
【００５２】
本実施例における自動取引装置１００を利用するユーザは、ＩＣカードに係る複数の銀行口座の一を選択する場合に、設置銀行を容易に選択できる。設置銀行での取引では手数料が安価であること等から、通常は、設置銀行で取引を行うことが多いため、このような表示が行われることで、ユーザは所望の口座の選択を容易に行うことができる。
【００５３】
なお、上述の場合では、ＩＣカードに記憶される口座情報は、順序付けられているものとしたが、係る場合に限定されることはない。
【００５４】
また、実施例では、設置銀行に応じて口座の優先度を決定するものとしたが、かかる場合に限定されることはない。例えば、自動取引装置１００の設置場所に応じて優先度を決定するものとしてもよい。また、その取引が行われる時間帯や季節に応じて口座の優先度を決定するものとしてもよい。例えば、給料日の後の数日間は、定期預金口座や貯蓄預金口座、外貨預金口座、証券会社の口座等よりも、一般の普通預金口座の優先度が高められるものとしてもよい。
【００５５】
Ｃ．変形例：
図４は、ネットワークを利用して取引を行うシステム１０００ａを示す説明図である。Ａ，Ｂ，Ｃ銀行の銀行システム１０ａ，１０ｂ，１０ｃは、ネットワークＬＮＥＴで互いに接続される、各システム１０ａ，１０ｂ，１０ｃの詳細は実施例で説明した通りである。
【００５６】
システム１０００ａにおいては、ネットワークＬＮＥＴに、パーソナルコンピュータ３００が接続する。ネットワークＬＮＥＴは、例えばインターネットを利用するものとしてもよい。パーソナルコンピュータ３００は、カードリーダ３０１によりＩＣカード３０２の口座情報を読み取ることができる。図４でＩＣカード３０２は、Ｂ，Ａ，Ｃの各銀行の口座情報をこの順序で記録しているとする。
【００５７】
パーソナルコンピュータ３００は、現金取扱機構１１３に相当する機構を有さない点で、実施例における自動取引装置１００と相違する（図１参照）。ここに、実施例における自動取引装置１００は銀行により管理されるが、パーソナルコンピュータ３００はユーザにより管理されている。
【００５８】
パーソナルコンピュータ３００には取引ソフトウェアがインストールされており、このソフトウェアを実行することで、内部通信部１２１，現金取扱部１２４，設定部１２９を除き、実施例における自動取引装置１００と同様の機能ブロックを実現する（図１参照）。
【００５９】
パーソナルコンピュータ３００は、従前の場合（図２，３）と同様の処理を行うことができる。ただし、現金を取り扱う取引は行わない。ただし、口座の提示処理（図３）については若干相違する。
図５は、変形例における提示処理を示すフローチャートである。これは、実施例における図３の処理に相当するものを示したものである。
【００６０】
図５のステップＳｂ１は、図３における場合と同様である。図５では、ＩＣカード３０２に、銀行Ｂ，Ａ，Ｃの口座情報がこの順序で記憶されている場合について示している。
【００６１】
図５のステップＳｃ２でパーソナルコンピュータ３００は、サーバ１１ａ，１１ｂ，１１ｃに対する問合せを行う。ステップＳｃ２でパーソナルコンピュータ３００は、ＩＣカードに係る銀行Ａ，Ｂ，Ｃのサーバ１１ａ，１１ｂ，１１ｃに対して取引手数料を問い合わせる。図４の場合、銀行Ａ，Ｂ，Ｃのサーバ１１ａ，１１ｂ，１１ｃは各々、銀行Ａ，Ｂ，Ｃでの取引手数料が８０円，１００円，８０円であることをパーソナルコンピュータ３００に報知する。
【００６２】
図５のステップＳｃ３でパーソナルコンピュータ３００は、報知された手数料の安価な順で口座を並び替える。図４の場合、銀行Ｂの手数料（１００円）は、銀行Ａ，Ｃの手数料（８０円）よりも高いので、銀行Ｂの順序を銀行Ａ，Ｃの後に移動させることとなる。
【００６３】
ステップＳｃ４でパーソナルコンピュータ３００は、ステップＳｂ３で並び替えた順序に基づいて銀行口座を表示する。この場合の表示例を、図５の画面４００に示した。画面４００では、Ａ，Ｃ銀行のボタン４０２の後に、Ｂ銀行のボタン４０１が表示される。各ボタンには、優先度に関する情報として、手数料が併せて表示される。なお、画面４００における「手数料１００円」等の表示は省略してもよい。また、画面４００では、手数料が同額の銀行ごとに、各ボタンをまとめて表示するものとしたが、かかる場合に限定されることもない。
【００６４】
以上説明したパーソナルコンピュータ３００によれば、ユーザは、ＩＣカードに係る複数の銀行口座の一を容易に選択することができる。
【００６５】
なお、上記の説明では、１つの銀行について高々１つの口座情報しかＩＣカードに記憶されていない場合について説明したが、かかる場合に限定されることはない。１つの銀行の複数の口座情報がＩＣカードに記憶されている場合も同様である。１つの銀行の定期預金口座と普通預金口座との口座情報が記憶される場合等である。このとき、例えば、画面２００（図３）や画面４００（図５）に銀行Ａに係る複数の口座のボタンが各々示されてもよい。このとき、各ボタンには、口座Ｎｏや口座種類の情報が付されるものとしてもよい。また、画面２００等と同様の画面でＡ銀行を選択した後に、Ａ銀行の複数の口座のボタンが各々示されるものとしてもよい。
【００６６】
ここで、図４，５で示した場合の変形例について説明する。
サーバ１０ａ等は、銀行Ａ等の各口座に関連付けて、取引履歴や預金残高、その口座の所有者の個人情報等の口座データを記憶している。パーソナルコンピュータ３００は、かかる口座データに含む情報を取得することで、ＩＣカード３０２に記憶された口座の優先度を決定するものとしてもよい。例えば、最近の頻繁な利用に係る口座の優先度を高いものとしたり、預金残高の多い口座の優先度を高いものとしたりしてもよい。
【００６７】
以上、実施例に基づき本発明にかかる自動取引装置を説明してきたが、上述した発明の実施の形態は、本発明の理解を容易にするためのものであり、本発明を限定するものではない。本発明は、その趣旨並びに特許請求の範囲を逸脱することなく、変更、改良され得る。
【図面の簡単な説明】
【図１】複数銀行の統合システム１０００を示す説明図である。
【図２】取引処理のフローチャートを示す説明図である。
【図３】カードに係る銀行口座の提示処理を示す説明図である。
【図４】ネットワークを利用して取引を行うシステム１０００ａを示す説明図である。
【図５】変形例における提示処理を示すフローチャートである。
【符号の説明】
１０００…複数銀行の統合システム
ＬＮＥＴ…ネットワーク
ＮＥＴ…ネットワーク
１０ａ…Ａ銀行のシステム
１０ｂ…Ｂ銀行のシステム
１０ｃ…Ｃ銀行のシステム
１１ａ…Ａ銀行のサーバ
１１ｂ…Ｂ銀行のサーバ
１１ｃ…Ｃ銀行のサーバ
１００，１００ａ，１００ｂ…自動取引装置
１１１…通信機構
１１２…制御機構
１１３…現金取扱機構
１１３ｉ…現金口
１１４…ＩＣカード機構
１１４ｉ…カード挿入口
１１５…タッチパネル
１２１…内部通信部
１２２…外部通信部
１２３…取引部
１２４…現金取扱部
１２５…カード部
１２６…表示部
１２７…表示記憶部
１２９…設定部
２００…画面
２０１…Ａ銀行のボタン
２０２…その他の銀行のボタン
１０００ａ…システム
３００…パーソナルコンピュータ
３０１…カードリーダ
４００…画面
４０１…Ｂ銀行のボタン
４０２…Ａ，Ｃ銀行のボタン
【図１】
2004246536.tif 000003
【図２】
2004246536.tif 000004
【図３】
2004246536.tif 000005
【図４】
2004246536.tif 000006
【図５】
2004246536.tif 000007